(57)【要約】【課題】自動車用部品等の動力伝達機構や各種産業機器等において使用される樹脂歯車に関し、樹脂歯車の強度や歯形精度が低下するのを防止でき、かつ、ゲートから注入された溶融樹脂の流動性が向上する。【解決手段】周方向複数のゲート３から樹脂を射出成形してなり、外周面１ａに歯部１１を有した環状の樹脂歯車１であって、周方向に隣り合うゲート３間の中央位置に対して周方向にずれた位置に貫通孔４が形成され、ゲート部およびウエルド部を含む周方向複数位置に、それぞれ径方向に延設されて放射状にリブ１２，１３，１４，１５が形成され、ゲート部のリブ１２とウエルド部のリブ１３が、残余のリブ１４，１５より幅広に形成されているものである。【選択図】  図１
2004263804.tif 000002
【特許請求の範囲】
【請求項１】
周方向複数のゲート部から樹脂を射出成形してなり、外周面に歯部を有した環状の樹脂歯車であって、
周方向に隣り合うゲート部間において、当該ゲート部間の中央に位置するウエルド部に対して周方向にずれた位置に貫通孔が形成されており、
前記ゲート部および前記ウエルド部を含む周方向複数位置に、それぞれ径方向に延設されて放射状にリブが形成され、
前記ゲート部のリブと前記ウエルド部のリブが、残余のリブより幅広に形成されている、ことを特徴とする樹脂歯車。
【請求項２】
請求項１記載の樹脂歯車において、
前記ウエルド部のリブが前記ゲート部のリブより幅広に形成されている、ことを特徴とする樹脂歯車。
【発明の詳細な説明】
【０００１】
【発明の属する技術分野】
本発明は、自動車用部品等の動力伝達機構や各種産業機器等において使用される樹脂歯車に関する。
【０００２】
【従来の技術】
従来、多点ピンゲートから樹脂を射出成形してなる樹脂歯車がある（例えば、特許文献１参照。）。
【０００３】
各ゲートから金型内に注入された溶融樹脂は、ゲートを中心にして、金型内のキャビティを放射状に広がり、樹脂歯車が射出成形される。
【０００４】
樹脂歯車には、通気や軽量化のための貫通孔が形成されたものがある。例えば、ＣＶＴ用ボールねじに装着する樹脂歯車には、ベルト／プーリ発熱部の冷却用の貫通孔が形成されている。
【０００５】
【特許文献１】
特開平１１−１５６８９２号公報
【０００６】
【発明が解決しようとする課題】
従来の樹脂歯車の場合、貫通孔は周方向等間隔に形成され、各々周方向に隣り合うゲート間の中央に位置している。このため、周方向に隣り合うゲートから注入された溶融樹脂が合流する位置と、貫通孔の形成位置とが一致してしまう。
【０００７】
すなわち、隣り合うゲート間の中央において溶融樹脂が合流することに起因するウエルド部と、貫通孔の周囲において溶融樹脂が当該孔を回り込むことに起因するウエルド部とが同じ位置に発生する。
【０００８】
このように、２種類のウエルド部が同じ位置に発生することにより、当該ウエルド部の数は減少するが、耐ヒートショック性の低下による樹脂歯車の破損などの強度低下や、歯形精度が低下するおそれがあった。さらに、貫通孔が形成されているため、当該部位における強度低下は、より一層大きなものとなる。
【０００９】
【課題を解決するための手段】
本発明は、周方向複数のゲート部から樹脂を射出成形してなり、外周面に歯部を有した環状の樹脂歯車であって、周方向に隣り合うゲート部間において、当該ゲート部間の中央に位置するウエルド部に対して周方向にずれた位置に貫通孔が形成されており、前記ゲート部および前記ウエルド部を含む周方向複数位置に、それぞれ径方向に延設されて放射状にリブが形成され、前記ゲート部のリブと前記ウエルド部のリブが、残余のリブより幅広に形成されているものである。
【００１０】
好ましくは、前記ウエルド部のリブが前記ゲート部のリブより幅広に形成されている。
【００１１】
樹脂歯車が適用される部位は特に限定されるものではなく、例えば、ＣＶＴの変速用ボールねじ装置のブラケット等に射出成形されて、ブラケット等に一体形成されるものや、ブラケット等に一体形成されず、例えば、中心に回転軸等を取付ける取付孔を有した樹脂歯車が単体にて射出成形されるものであってもよい。
【００１２】
ゲートや貫通孔の数は特に限定されるものではなく、例えば、同数であって周方向に交互に形成されていたり、あるいはゲート数に対して貫通孔がその倍数であって、各ゲートの周方向両側にそれぞれ貫通孔が形成されるものであってもよい。すなわち、ゲートと貫通孔の数を同数あるいは倍数とすることで、樹脂歯車を対称形状とすることができ、樹脂成形時の流動バランスを取ることができ、成形性に優れる。
【００１３】
貫通孔の大きさについても、通気孔として使用される場合や、軽量化を目的として形成される場合など、その目的に応じて自由に決められるものである。
【００１４】
本発明の樹脂歯車によると、周方向に隣り合うゲート間の中央位置に対して周方向にずれた位置に貫通孔が形成されており、周方向に隣り合うゲートから注入された溶融樹脂が合流する位置と、貫通孔の形成位置とが一致しない。
【００１５】
よって、隣り合うゲート間の中央において溶融樹脂が合流することに起因するウエルド部と、貫通孔の周囲において溶融樹脂が当該孔を回り込むことに起因するウエルド部とが同じ位置に発生せず、樹脂歯車の強度や歯形精度が低下するのを防止できる。
【００１６】
ゲート部のリブとウエルド部のリブが、残余のリブより幅広に形成されており、ゲートから注入された溶融樹脂の流動性が向上する。
【００１７】
【発明の実施の形態】
本発明の実施形態に係る樹脂歯車を図面に基づいて説明する。
【００１８】
図１は本実施形態における樹脂歯車の正面図、図２は樹脂歯車の断面図である。
【００１９】
本実施形態は、環状のブラケット２の外周に、金型に形成された周方向複数のゲート３から樹脂を射出成形して、樹脂歯車１を金属製のブラケット２に一体形成したものである。
【００２０】
樹脂歯車１は、ブラケット２の外周と一体に形成された環状のボス部１６と、ボス部１６から外径方向に延設された薄肉のウエブ部１７と、ウエブ部１７から外径方向に延設された環状のリム部１８と、リム部１８の外周に所定のピッチで形成された複数の歯部１１とで構成されている。
【００２１】
ウエブ部１７には、周方向等間隔に径方向に延設されて複数のリブ１２，１３，１４，１５が放射状に形成されている。
【００２２】
リブ１２は、金型の周方向に等間隔に形成されたゲート３に相当する位置に形成されている。
【００２３】
リブ１３は、隣り合う一対のリブ１２の中間に形成されている。各ゲート３から注入された溶融樹脂は、ゲート３を中心にして金型内のキャビティを放射状に流動して広がり、リブ１３部分にて溶融樹脂が合流することに起因するウエルド部が形成される。
【００２４】
リブ１４は、リブ１３に対して位相をずらした位置に形成されており、内径側に通気や軽量化のための貫通孔４を有している。
【００２５】
リブ１５は、上記以外のリブである。
【００２６】
ゲート部のリブ１２の幅寸法をＬ１、ウエルド部のリブ１３の幅寸法をＬ２、その他のリブ１４，１５の幅寸法をＬ３とすると、
Ｌ１，Ｌ２＞Ｌ３  …▲１▼
の関係となる。より好ましくは、Ｌ１とＬ２の関係を、
Ｌ２＞Ｌ１  …▲２▼
とする。
【００２７】
各リブ１２，１３，１４，１５の周方向の幅寸法の具体的な一例として、下記のように設定する。すなわち、ゲート部のリブ１２の幅寸法Ｌ１＝１．４ｍｍ、ウエルド部のリブ１３の幅寸法Ｌ２＝１．６ｍｍ、その他のリブ１４，１５の幅寸法Ｌ３＝１．２ｍｍとする。
【００２８】
樹脂歯車を構成する樹脂材料としては、例えば、オレフィン系樹脂（ポリプロピレンなど）、フッ素樹脂、スチレン系樹脂（アクリロニトリル−スチレン共重合体、ＡＢＳ樹脂など）、アクリル系樹脂（ポリメタクリル酸メチルなど）、ポリエステル系樹脂（ポリエチレンテレフタレート、ポリブチレンテレフタレート、ポリエチレンナフタレートなどのポリアルキレンアリーレート（ホモポリエステル）、アルキレンアリレート単位を有するコポリエステル、ポリアリレート系樹脂、液晶性ポリエステルなど）、ポリカーボネート系樹脂（ビスフェノールＡ型ポリカーボネートなど）、ポリアミド系樹脂（６ナイロン、１１ナイロン、１２ナイロン、４６ナイロン、６６ナイロン、６Ｔナイロン、９Ｔナイロン、６１０ナイロンなどの脂肪族ナイロン、芳香族ナイロンＭＸＤ−６など）、ポリアセタール系樹脂、ポリフェニレンエーテル系樹脂、ポリフェニレンスルフィド系樹脂、ポリスルホン系樹脂、ポリスルホンエーテル系樹脂などが例示できる。
【００２９】
さらに、上記樹脂材料に補強繊維が含まれていてもよい。補強繊維としては、無機繊維（ガラス繊維、炭素繊維、金属繊維、チタン酸カリウム、チタン酸バリウム、アルミナ繊維、シリカ繊維、炭化ケイ素繊維、窒化ケイ素繊維等）や、有機繊維（アラミド繊維等）などが例示できる。
【００３０】
樹脂歯車１の製造について説明する。
【００３１】
下型にブラケット２ならびにリング歯型を配置した後、下型と上型を合わせ、ブラケット２の外周域に対応するキャビティを形成する。キャビティ内に、上型に周方向所定間隔に配置した複数のゲート３から溶融樹脂を注入する。溶融樹脂は、ゲート３を中心に放射状に広がり、リング歯型に達して歯部を形成する。
【００３２】
樹脂歯車１はブラケット２の外周に一体的に形成され、ブラケット２と樹脂歯車１とは、例えば、軸心回りに回転一体に設けられる。
【００３３】
このように構成された樹脂歯車１によると、周方向に隣り合うゲート３間の中央位置に対して周方向にずれた位置に貫通孔４が形成されており、周方向に隣り合うゲート３から注入された溶融樹脂が合流する位置と、貫通孔４の形成位置とが一致しない。よって、隣り合うゲート３間の中央において溶融樹脂が合流することに起因するウエルド部５と、貫通孔４の周囲において溶融樹脂が当該孔を回り込むことに起因するウエルド部とが同じ位置に発生せず、樹脂歯車１の強度や歯形精度が低下するのを防止でき、静的破壊強度のばらつきを抑制できる。
【００３４】
式▲１▼に示すように、ゲート部のリブ１２の幅寸法Ｌ１とウエルド部のリブ１３の幅寸法Ｌ２が、残余のリブ１４，１５の幅寸法Ｌ３より幅広に形成されており、ゲート３から注入された溶融樹脂の流動性が向上する。
【００３５】
式▲２▼に示すように、最弱部であるウエルド部のリブ１３の幅寸法Ｌ２を、ゲート部のリブ１２の幅寸法Ｌ１より幅広とし、すなわち各リブ１２，１３，１４，１５のうちで最も幅広としたので、樹脂歯車１の強度が低下するのをより確実に防止できる。
【００３６】
なお、ゲート部のリブ１２の幅寸法Ｌ１と、ウエルド部のリブ１３の幅寸法Ｌ２は、その他のリブ１４，１５の幅寸法Ｌ３より大きければよく、Ｌ１とＬ２の大小関係は式▲２▼に示す関係に限定されず、Ｌ２≦Ｌ１としてもよい。
【００３７】
また、前記実施形態に係る樹脂歯車１の構成は一例であって、例えば、ゲート部ならびにウエルド部のリブ以外のリブの形成位置は特に限定されない。
【００３８】
【発明の効果】
本発明の樹脂歯車によると、隣り合うゲート間の中央において溶融樹脂が合流することに起因するウエルド部と、貫通孔を回り込むことに起因するウエルド部とが同じ位置に発生せず、樹脂歯車の強度や歯形精度が低下するのを防止でき、かつ、ゲートから注入された溶融樹脂の流動性が向上するという効果が得られる。
【図面の簡単な説明】
【図１】本発明の実施形態における樹脂歯車の正面図
【図２】本発明の実施形態における樹脂歯車の断面図
【符号の説明】
１    樹脂歯車
２    ブラケット
３    ゲート
４    貫通孔
５    ウエルドライン
１１    歯部
１２，１３，１４，１５    リブ
【図１】
2004263804.tif 000003
【図２】
2004263804.tif 000004